(57)【要約】【課題】衣類等の脱臭や除菌を行なうだけでなく、臭気成分も分解してユーザーに不快感等を与えない脱臭装置を提供すること。【解決手段】ストリーマ放電機能を持つ空気清浄機２に隣接して内部空間を衣類等の物品を収納する収納部４２とした脱臭ボックス３を配置する。空気清浄機２の開閉自在な脱臭カートリッジ３２の位置に対応した脱臭ボックス３の位置に穴を穿孔する。また空気清浄機２の側面吸込口１４の位置に対応した脱臭ボックス３の箇所に吹出口４６を設ける。脱臭ボックス３内には多数の貫通孔４４を穿孔した棚４３を設ける。空気清浄機２からストリーマ放電にて生成される活性種を含んだ空気を脱臭ボックス３内に送り、活性種により脱臭ボックス３内の衣類等の物品を脱臭する。脱臭した臭気成分を空気清浄機２へ戻して、再度ストリーマ放電にて臭気成分を分解する。【選択図】図８
2008167901.tif 000002
【特許請求の範囲】
【請求項１】
放電機能を備えた空気清浄機（２）に、内部を空間とした脱臭ボックス（３）を隣接して配置し、前記脱臭ボックス（３）には前記空気清浄機（２）から前記放電により生成された活性種を含んだ空気を供給すると共に、脱臭ボックス（３）にて脱臭した後の臭気成分を含んだ空気を前記空気清浄機（２）に返流することを特徴とする脱臭装置。
【請求項２】
前記放電は、ストリーマ放電であることを特徴とする請求項１に記載の脱臭装置。
【請求項３】
前記脱臭ボックス（３）の内部空間には棚（４３）が設けられ、この棚（４３）には多数の貫通孔（４４）が穿設されていることを特徴とする請求項１または請求項２に記載の脱臭装置。
【請求項４】
前記空気清浄機（２）には予め脱臭カートリッジ（３２）が付随しており、この脱臭カートリッジ（３２）の再生用として該脱臭カートリッジ（３２）が収納可能なカートリッジ収納部（３３）が該空気清浄機（２）に開閉自在に設けられており、このカートリッジ収納部（３３）の位置に対応して前記脱臭ボックス（３）に導入孔（４７）が設けられていることを特徴とする請求項１〜請求項３のいずれかに記載の脱臭装置。
【請求項５】
前記空気清浄機（２）には周囲の空気を吸い込む吸込口（１４）が設けられていて、この吸込口（１４）の位置に対応して前記脱臭ボックス（３）の吹出口（４６）が設けられていることを特徴とする請求項１〜請求項４のいずれかに記載の脱臭装置。
【発明の詳細な説明】
【技術分野】
【０００１】
本発明は、衣類などを主として脱臭する脱臭装置に関するものである。
【背景技術】
【０００２】
衣類の除菌、脱臭などを行なうこの種の衣類の浄化装置として、例えば特許文献１が挙げられる。この特許文献１に示されている衣類浄化装置は、衣類を収容する収容部と、除菌、脱臭、汚れ分解作用のうち、少なくとも１つの作用を有するミストを生成し、収容部の衣類に噴霧するミスト発生装置を備えている。
【０００３】
また、洗濯物の除菌、脱臭、有機物の汚れ分解を行なうことができる洗濯機としては、例えば、特許文献２が挙げられる。この特許文献２は、水に高電圧を印加してナノサイズのＯＨラジカルを空気中に発生させるＯＨラジカル発生手段と、発生したＯＨラジカルを洗濯槽内に送風する送風手段と、一連の洗濯工程の所定の段階で前記ＯＨラジカル発生手段と送風手段を駆動してＯＨラジカルを洗濯槽内に供給することにより洗濯物や洗濯槽の除菌・脱臭・有機物の汚れ分解を行なう工程を制御する制御手段を備えているものである。
【０００４】
【特許文献１】特開２００５−１９８８５９号公報
【特許文献２】特開２００５−１９２９０１号公報
【発明の開示】
【発明が解決しようとする課題】
【０００５】
しかしながら上記特許文献１ものでは、ミストを発生させるのに次亜塩素酸の水溶液や水を必要としており、衣類を浄化するのにこれらの水溶液や水が別途容易しなければならないという問題を有している。また、特許文献２のものの場合も同様であり、別途水を必要とし、該水を収容する収容部が必要であり、構造的にも煩雑化するという問題を有している。また、特許文献１、２は、発生させたミストやＯＨラジカルを一方的に衣類等に噴霧するだけであり、衣類から脱臭した臭気成分までを除去するということもない。そのため、衣類は脱臭等ができるものの、空気中に臭気成分を飛散させてユーザーに不快感を与えてしまうという問題を有している。また、その脱臭効果も充分なものであるとはいえず、脱臭作業に比較的長い時間を要している。
【０００６】
この発明は上記した従来の欠点を解決するためになされたものであって、その目的は、衣類等の脱臭や除菌を行なうだけでなく、臭気成分も分解してユーザーに不快感等を与えず、しかも脱臭効果の優れた脱臭装置を提供することにある。
【課題を解決するための手段】
【０００７】
そこで、本発明の請求項１に記載の脱臭装置では、放電機能を備えた空気清浄機２に、内部を空間とした脱臭ボックス３を隣接して配置し、前記脱臭ボックス３には前記空気清浄機２から前記放電により生成された活性種を含んだ空気を供給すると共に、該脱臭ボックス３にて脱臭した後の臭気成分を含んだ空気を前記空気清浄機２に返流することを特徴としている。
【０００８】
請求項２に記載の脱臭装置では、前記放電は、ストリーマ放電であることを特徴としている。
【０００９】
請求項３に記載の脱臭装置では、前記脱臭ボックス３の内部空間には棚４３が設けられ、この棚４３には多数の貫通孔４４が穿設されていることを特徴としている。
【００１０】
請求項４に記載の脱臭装置では、前記空気清浄機２には予め脱臭カートリッジ３２が付随しており、この脱臭カートリッジ３２の再生用として該脱臭カートリッジ３２が収納可能なカートリッジ収納部３３が該空気清浄機２に開閉自在に設けられており、このカートリッジ収納部３３の位置に対応して前記脱臭ボックス３に導入孔４７が設けられていることを特徴としている。
【００１１】
請求項５に記載の脱臭装置では、前記空気清浄機２の側面には周囲の空気を吸い込む吸込口１４が設けられていて、この吸込口１４の位置に対応して前記脱臭ボックス３の吹出口４６が設けられていることを特徴としている。
【発明の効果】
【００１２】
本発明の請求項１に記載の脱臭装置によれば、空気清浄機２から放電にて生成される活性種を含んだ空気を脱臭ボックス３内に送り、活性種により脱臭ボックス３内の衣類等の物品を脱臭でき、しかも、脱臭した臭気成分を空気清浄機２へ戻して、再度放電にて臭気成分を分解しているので、脱臭効果を上げると共に、臭気成分を含んだ空気は外部に排出されず、ユーザーに不快感を与えることもない。また、従来例とは異なり、水溶液や水は不要であり、使い勝手が良い。殊に、放電による活性種を空気清浄機２に返流して再利用するようにしているので、脱臭効果は一段と優れたものとなる。
【００１３】
請求項２に記載の脱臭装置によれば、ストリーマ放電を利用するので、脱臭効果をより一層向上することができる。
【００１４】
請求項２に記載の脱臭装置によれば、前記脱臭ボックス３の内部空間には棚４３が設けられ、この棚４３には多数の貫通孔４４を穿設されているので、活性種を含んだ空気の流れを阻止することがなく、そのため、脱臭して臭気成分を含んだ空気を空気清浄機２へスムーズに戻すことができる。
【００１５】
請求項３に記載の脱臭装置によれば、前記空気清浄機２には予め脱臭カートリッジ３２が付随しており、この脱臭カートリッジ３２の再生用として該脱臭カートリッジ３２が収納可能なカートリッジ収納部３３が該空気清浄機２に開閉自在に設けられており、このカートリッジ収納部３３の位置に対応して前記脱臭ボックス３に導入孔４７が設けられているので、空気清浄機２側は何らの細工も施す必要がなく、脱臭ボックス３を単に空気清浄機２に隣接して配置するだけで、該脱臭ボックス３にて衣類、靴その他の任意の物品を脱臭することができる。
【００１６】
請求項４に記載の脱臭装置によれば、前記空気清浄機２には周囲の空気を吸い込む吸込口１４が設けられていて、この吸込口１４の位置に対応して前記脱臭ボックス３の吹出口４６が設けられているので、空気清浄機２側は何らの細工も施す必要がなく、脱臭ボックス３を単に空気清浄機２に隣接して配置するだけで、該脱臭ボックス３にて衣類、靴その他の任意の物品を脱臭することができる。
【発明を実施するための最良の形態】
【００１７】
次に、この発明の脱臭装置の具体的な実施の形態について、図面を参照しつつ詳細に説明する。図１は本発明の脱臭装置本体１の斜視図を示し、この脱臭装置本体１は、各種のフィルタ及びストリーマ放電による集塵、脱臭、臭気成分の分解の機能を備えた空気清浄機２と、この空気清浄機２からの後述する活性種が送り出されて衣類等を脱臭し、この脱臭後の空気が空気清浄機２へと還流するように該空気清浄機２の側面に隣接配置される脱臭ボックス３とで構成されている。
【００１８】
先ず、空気清浄機２の構成について図２〜図５により説明する。図２は室内に設置するタイプの空気清浄機２の斜視図を示し、この空気清浄機２の外殻を構成している本体ケーシング１１の上面の後部に吹出口１２が設けられ、本体ケーシング１１の両側の側面には吸込口１４がそれぞれ設けられている。吸込口１４から室内の空気が本体ケーシング１１内に吸い込まれて、本体ケーシング１１内に設けられた後述するストリーマ放電ユニットにて清浄化された空気が吹出口１２より吹き出される。なお、１５は前面パネルである。
【００１９】
図３は空気清浄機２内における空気流の流れを示す図を兼ねたフィルタユニット２０の分解斜視図を示している。ファンモータ２１にて回転駆動されたファン２２により空気が吸込口１４から吸い込まれ、この吸い込まれた空気はプレフィルタ２３、プラズマイオン化部２４、光触媒フィルタ２５、プラズマ触媒フィルタ２６を介して清浄化されて吹出口１２から吹き出される。また、図３及び図４に示すように、空気清浄機２内の上部には上述のストリーマ放電ユニット３０が配設されている。
【００２０】
ストリーマ放電ユニット３０は、対向電極と、この対向電極と対向して配置されているストリーマ放電電極とで構成されており、対向電極とストリーマ放電電極との間に、直流、交流またはパルスの放電電圧が印加されると、両電極間にストリーマ放電が生じる。このストリーマ放電が生じると、放電場に低温プラズマが生成し、この低温プラズマにより、高速電子、イオン、オゾン、ヒドロキシラジカルなどのラジカル種や、その他の励起分子（励起酸素分子、励起窒素分子、励起水分子）などが生成される。これらの活性種を脱臭剤に当てると脱臭性能を再生させることができる。
【００２１】
なお、これらの活性種は、非常にエネルギーレベルが高く、空気に含まれるアンモニア類や、アルデヒド類、窒素酸化物など小さな有機分子および消臭する能力を有している。
【００２２】
ところで、この空気清浄機２には、内部に脱臭剤を備えた脱臭カートリッジを収納可能としたカートリッジ収納部を設けている。すなわち、空気清浄機２本体とは別個に脱臭用の脱臭カートリッジが予め付随されており、この脱臭カートリッジを玄関、トイレ、靴箱、クローゼットなどに置いて臭気成分を吸着した後に、脱臭カートリッジを空気清浄機２のカートリッジ収納部に収納し、ストリーマ放電ユニット３０によりストリーマ放電を生じさせて生成される活性種により脱臭カートリッジを再生する機能を有している。
【００２３】
図２及び図５に示すように、空気清浄機２の本体ケーシング１１における一方の側面にはポケット状のカートリッジ収納部３３が開閉自在に設けられており、このカートリッジ収納部３３に脱臭カートリッジ３２を収納し、ストリーマ放電により脱臭カートリッジ３２を再生するようになっている。
【００２４】
ここで、空気清浄機２内では、図３に示すように、吸い込まれた空気を清浄化して吹出口１２より室内へと吹き出される空気が通るメイン空気流路Ｆ１と、吹出口１２の近傍における空気を上流側に戻すバイパス空気流路Ｆ２とが設けられている。そして、図３〜図５に示すように、このバイパス空気流路Ｆ２中にカートリッジ収納部３３を配置し、カートリッジ収納部３３内に収納した脱臭カートリッジ３２にバイパス空気流が供給され、脱臭カートリッジ３２の脱臭剤に吸着している臭気成分を分解して再生させるようにしている。そして、臭気成分を分解・再生した後は、カートリッジ収納部３３から脱臭カートリッジ３２を取り出して、任意の箇所に脱臭カートリッジ３２を置いて脱臭をする。
【００２５】
脱臭ボックス３は、空気清浄機２にて生成される活性種を還流させて、該脱臭ボックス３内に収納した衣類、靴その他の任意の物品を脱臭するものであり、さらに、脱臭ボックス３から空気清浄機２内に戻して臭気成分を分解し、さらに臭気成分を分解して再び空気清浄機２から脱臭ボックス３へ送るようにしている。
【００２６】
次に、この脱臭ボックス３の構成について説明する。図６は空気清浄機２と脱臭ボックス３とを並設した脱臭装置本体１の正面図を、図７は脱臭ボックス３の前面に設けられている開閉自在な扉４０を少し開けた状態の斜視図を、図８は脱臭ボックス３の扉４０を外した状態の斜視図をそれぞれ示している。また、図９は扉４０を外した状態の脱臭ボックス３（脱臭装置本体１）の正面図を、脱臭装置本体１の平面図を、図１１は脱臭装置本体１の側面図を、図１２は図１１のＡ−Ａ断面図をそれぞれ示している。
【００２７】
空気清浄機２とほぼ同じ大きさの脱臭ボックス３は、前面を開口したケーシング４１と、このケーシング４１の開口面を覆設する開閉自在な扉４０とで構成されており、内部を脱臭する物品の収納部４２としている。この収納部４２内には、例えば、本実施形態では３段の棚４３が取り外し自在に設けてあり、また、この棚４３には多数の貫通孔４４が穿設されている。
【００２８】
また、図８に示すように、脱臭ボックス３のケーシング４１における空気清浄機２側の側板４５には、空気清浄機２の一方の側面吸込口１４の大きさとほぼ同じ吹出口４６が開口されている。この脱臭ボックス３の吹出口４６と空気清浄機２の側面吸込口１４とは同じ位置としていて、吹出口４６と側面吸込口１４を介して脱臭ボックス３の内部の収納部４２と空気清浄機２の内部とが連通している。また、図１２に示すように、脱臭ボックス３の側板４５における後側上部には上記カートリッジ収納部３３に対応した位置に導入孔４７が穿孔されており、この導入孔４７を介してカートリッジ収納部３３が出入り自在となっている。カートリッジ収納部３３を導入孔４７を介して脱臭ボックス３側に倒すことで、カートリッジ収納部３３の空間部分と脱臭ボックス３の収納部４２とが連通する。これにより空気清浄機２と脱臭ボックス３の内部同士が連通することになる。
【００２９】
これにより、空気清浄機２のカートリッジ収納部３３を開けた状態で、脱臭ボックス３を空気清浄機２の側面に並設することで、空気清浄機２の内部の空間と脱臭ボックス３の内部の収納部４２の空間とは、カートリッジ収納部３３の空間、導入孔４７、側面吸込口１４及び吹出口４６とを介して連通する。
【００３０】
そして、脱臭ボックス３の扉４０を開けて、衣類、靴その他の任意の物品を棚４３に置き扉４０を閉め、空気清浄機２の電源をオンする。空気清浄機２の電源がオンされると、フィルタユニット２０のファンモータ２１が駆動されて、ファン２２が回転される。同時にフィルタユニット２０のストリーマ放電ユニット３０にも電源が印加され、ストリーマ放電が開始される。このストリーマ放電により生成される活性種がカートリッジ収納部３３の空間部及び脱臭ボックス３の導入孔４７を介して脱臭ボックス３の収納部４２に放出される。この放出された活性種により収納部４２内の衣類等の物品が脱臭され、臭気成分を含んだ空気は吹出口４６から空気清浄機２内に還流される。
【００３１】
臭気成分を含んだ空気が空気清浄機２内に戻され、空気清浄機２内のフィルタユニット２０のストリーマ放電ユニット３０により臭気成分は分解され、臭気成分を含まない、且つ活性種を含んだ空気が再度脱臭ボックス３の収納部４２へ送風される。この状態を所定の時間、例えば３０分ほど繰り返すことで、脱臭ボックス３内の物品が脱臭されることになる。また、同時にフィルタユニット２０は集塵、除菌等の機能を有しているので、脱臭ボックス３内の物品は除塵、除菌等がされる。
【００３２】
このように本実施形態では、ストリーマ放電ユニット３０のストリーマ放電にて生成される活性種を含んだ空気を脱臭ボックス３内に送り、活性種により脱臭ボックス３内の衣類等の物品を脱臭でき、しかも、脱臭した臭気成分を空気清浄機２へ戻して、再度ストリーマ放電にて臭気成分を分解しているので、脱臭効果を上げると共に、臭気成分を含んだ空気は外部に排出されず、ユーザーに不快感を与えることもない。また、脱臭ボックス３の棚４３には多数の貫通孔４４を設けているので、活性種を含んだ空気の流れを阻止することがなく、そのため、脱臭して臭気成分を含んだ空気を空気清浄機２へスムーズに戻すことができる。また、従来例とは異なり、水溶液や水は不要であり、使い勝手が良い。殊に、ストリーマ放電による活性種を空気清浄機２に返流して再利用するようにしているので、脱臭効果は一段と優れたものとなる。
【００３３】
また、脱臭ボックス３の貫通孔４４を介して活性種を含んだ空気を送り込む側のカートリッジ収納部３３は、空気清浄機２に元々設けられているものであり、また、脱臭ボックス３の吹出口４６から空気清浄機２へ臭気成分を含んだ空気を送る側面吸込口１４も空気清浄機２に元々設けられており、これらのカートリッジ収納部３３及び側面吸込口１４を利用して、脱臭ボックス３側に貫通孔４４及び吹出口４６も設けているものである。これにより、空気清浄機２側は何らの細工も施す必要がなく、脱臭ボックス３を単に空気清浄機２に隣接して配置するだけで、該脱臭ボックス３にて衣類、靴その他の任意の物品を脱臭することができる。
【００３４】
なお、本実施形態では、脱臭ボックス３の収納部４２内には棚４３を設けた例を示したが、衣類を吊るすハンガーを引っ掛ける棒を収納部４２の上部に設けても良く、また、該棒と棚４３とを併用するようにしても良い。また、空気清浄機２側に温風発生機能や除湿機能を持たせて、脱臭ボックス３側に温風や除湿空気を併せて送るようにして、脱臭ボックス３内の衣類等の物品に対して乾燥も同時に行なえるようにしても良い。
【００３５】
なお、ストリーマ放電ユニット３０のようなストリーマ放電発生機構だけで空気清浄機２を構成して、ワークイン・クローゼットや、押し入れボックスや、床下収納庫や、車内などにホースやダクトで接続して、脱臭を行なうようにしても良い。また、ストリーマ放電以外の放電機能、例えば、プラズマ放電を用いることもでき、この場合には、プラズマ放電によって生成されるオゾンが脱臭に際して活性種として機能する。
【図面の簡単な説明】
【００３６】
【図１】本発明の実施の形態における脱臭装置本体の斜視図である。
【図２】本発明の実施の形態における空気清浄機の斜視図である。
【図３】本発明の実施の形態における空気清浄機のフィルタユニットの分解斜視図である。
【図４】本発明の実施の形態におけるメイン空気流とバイパス空気流の流れを示す説明図である。
【図５】本発明の実施の形態における空気清浄機の要部斜視図である。
【図６】本発明の実施の形態における脱臭装置本体の正面図である。
【図７】本発明の実施の形態における脱臭ボックスの扉を開けた状態の脱臭装置本体の斜視図である。
【図８】本発明の実施の形態における脱臭ボックスの扉を外した状態の脱臭装置本体の斜視図である。
【図９】本発明の実施の形態における脱臭ボックスの扉を外した状態の脱臭装置本体の正面図である。
【図１０】本発明の実施の形態における脱臭装置本体の平面図である。
【図１１】本発明の実施の形態における脱臭装置本体の側面図である。
【図１２】本発明の実施の形態における図１１のＡ−Ａ断面図である。
【符号の説明】
【００３７】
１  脱臭装置本体
２  空気清浄機
３  脱臭ボックス
１４  側面吸込口
３２  脱臭カートリッジ
３３  カートリッジ収納部
４３  棚
４４  穴
４６  吹出口
４７  穴
【図１】
2008167901.tif 000003
【図２】
2008167901.tif 000004
【図３】
2008167901.tif 000005
【図４】
2008167901.tif 000006
【図５】
2008167901.tif 000007
【図６】
2008167901.tif 000008
【図７】
2008167901.tif 000009
【図８】
2008167901.tif 000010
【図９】
2008167901.tif 000011
【図１０】
2008167901.tif 000012
【図１１】
2008167901.tif 000013
【図１２】
2008167901.tif 000014